(57)【特許請求の範囲】
【請求項１】
挿抜可能な電源プラグから電力を受け取る電源コネクタが設置されたシャーシと、前記電力によって動作する部品が配置される筐体内部と前記部品が配置されない筐体外部とを区切るカバーとを、前記電源プラグの挿抜方向にスライドすることによって組み立てられた電気機器筐体であって、
前記電源プラグが前記電源コネクタに挿入されているときに前記カバーが前記シャーシに対してスライドできないようロックし、前記電源プラグが前記電源コネクタから外されると前記カバーが前記シャーシに対してスライドできるようにロックを解除するロック部材を有し、
前記ロック部材は、前記電源プラグの挿抜方向に直交する方向に付勢され、スライド可能に前記シャーシに取り付けられ、
前記電源コネクタに挿入可能に前記電源プラグが通過可能な開口を有し、前記開口を通過して前記電源プラグが前記電源コネクタに挿入可能な第１の位置から、前記開口の周囲の部材が前記電源コネクタを遮蔽して前記電源プラグを挿入不能な第２の位置に向けて付勢されていることを特徴とする、電気機器筐体。
【請求項２】
前記シャーシは、前記電源プラグの挿抜方向に直交する方向に突出する係合部を有し、
前記ロック部材は、前記電源プラグの挿抜方向に直交する方向に突出し、前記第１の位置にあるときに前記係合部と係合せず、前記第２の位置にあるときに前記係合部と係合する係止部を有することを特徴とする、請求項１に記載の電気機器筐体。
【請求項３】
挿抜可能な電源プラグから電力を受け取る電源コネクタが設置されたシャーシと、前記電力によって動作する部品が配置される筐体内部と前記部品が配置されない筐体外部とを区切るカバーとを、前記電源プラグの挿抜方向にスライドすることによって組み立てられた筐体を有する電気機器であって、
前記電源プラグが前記電源コネクタに挿入されているときに前記カバーが前記シャーシに対してスライドできないようロックし、前記電源プラグが前記電源コネクタから外されると前記カバーが前記シャーシに対してスライドできるようにロックを解除するロック部材を有し、
前記ロック部材は、前記電源プラグの挿抜方向に直交する方向に付勢され、スライド可能に前記シャーシに取り付けられ、
前記電源コネクタに挿入可能に前記電源プラグが通過可能な開口を有し、前記開口を通過して前記電源プラグが前記電源コネクタに挿入可能な第１の位置から、前記開口の周囲の部材が前記電源コネクタを遮蔽して前記電源プラグを挿入不能な第２の位置に向けて付勢されていることを特徴とする、電気機器。
【発明の詳細な説明】
【技術分野】
【０００１】
本発明は、コネクタを介して外部から供給を受ける電力により動作する電気機器の筐体に関する。
【背景技術】
【０００２】
電気機器を動作させるには電力が必要であり、外部から電力の供給を受ける電気機器や内蔵する電池から電力の供給を受ける電気機器が存在している。外部から電力の供給を受ける場合、外部電源と電気機器との間を電気的に接続する必要がある。電気機器の配置の自由度を確保するため、かかる電気的接続には導線を絶縁体で被覆した可撓性を有するケーブルを用いることが多く、さらにケーブルと電気機器とをコネクタを介して接続することで、コンセント形状が異なる複数の外部電源があっても、電気機器本体を変更することなく、ケーブルを変更するだけで容易に対応できるようになる。
【０００３】
かかる電気機器の筐体を開いて内部にアクセスしなければならないことがある。例えば、パーソナルコンピュータにおいて、メインメモリやハードディスクドライブの交換を行うときや、筐体内部にたまった埃を除去したいときなどである。しかし、電気機器が動作しているときには筐体内部には所定の電圧が付加されており、内部にアクセスして電圧の付加された箇所に手が触れると感電等のおそれがある。
【０００４】
特許文献１には、電源カバーを開いたときに電源出力を切断することにより、カバー開時の人体等への感電等の危険をなくす電源切断装置が開示されている。
【先行技術文献】
【特許文献】
【０００５】
【特許文献１】特開平６−６０７７０号公報
【発明の概要】
【発明が解決しようとする課題】
【０００６】
特許文献１に記載の電源切断装置では、電源ＯＮの状態で筐体が開かれると、電源が切断される。これによって、筐体内部に手が触れても感電等が生じないようになっているが、動作中の状態から突然電源が切断されるため、電気機器は正常な電源切断処理を行うことができず、電気回路によっては動作不良を招くおそれがある。
【０００７】
そこで、本発明は、突然の電源切断による電気機器の動作不良を生じさせることなく、筐体が開かれたときの感電等の危険をなくすことのできる電気機器筐体および電気機器に関する。
【課題を解決するための手段】
【０００９】
本発明の電気機器筐体は、挿抜可能な電源プラグから電力を受け取る電源コネクタが設置されたシャーシと、電力によって動作する部品が配置される筐体内部と部品が配置されない筐体外部とを区切るカバーとを、電源プラグの挿抜方向にスライドすることによって組み立てられた電気機器筐体であり、電源プラグが電源コネクタに挿入されているときにカバーがシャーシに対してスライドできないようロックし、電源プラグが電源コネクタから外されるとカバーがシャーシに対してスライドできるようにロックを解除するロック部材を有し、ロック部材は、電源プラグの挿抜方向に直交する方向に付勢され、スライド可能にシャーシに取り付けられ、電源コネクタに挿入可能に電源プラグが通過可能な開口を有し、開口を通過して電源プラグが電源コネクタに挿入可能な第１の位置から、開口の周囲の部材が電源コネクタを遮蔽して電源プラグを挿入不能な第２の位置に向けて付勢されていることを特徴とする。
【００１０】
本発明の電気機器は、挿抜可能な電源プラグから電力を受け取る電源コネクタが設置されたシャーシと、電力によって動作する部品が配置される筐体内部と部品が配置されない筐体外部とを区切るカバーとを、電源プラグの挿抜方向にスライドすることによって組み立てられた筐体を有する電気機器であり、電源プラグが電源コネクタに挿入されているときにカバーがシャーシに対してスライドできないようロックし、電源プラグが電源コネクタから外されるとカバーがシャーシに対してスライドできるようにロックを解除するロック部材を有し、ロック部材は、電源プラグの挿抜方向に直交する方向に付勢され、スライド可能にシャーシに取り付けられ、電源コネクタに挿入可能に電源プラグが通過可能な開口を有し、開口を通過して電源プラグが電源コネクタに挿入可能な第１の位置から、開口の周囲の部材が電源コネクタを遮蔽して電源プラグを挿入不能な第２の位置に向けて付勢されていることを特徴とする。
【発明の効果】
【００１１】
本発明によれば、突然の電源切断による電気機器の動作不良を生じさせることなく、筐体が開かれたときの感電等の危険をなくすことのできる電気機器筐体および電気機器を提供できる。
【図面の簡単な説明】
【００１２】
【図１】本実施形態の電気機器の、筐体を開けられないときの電源コネクタ周辺の筐体構造を示す図である。
【図２】本実施形態の電気機器の、筐体を開けられるときの電源コネクタ周辺の筐体構造を示す図である。
【発明を実施するための形態】
【００１３】
以下、図面を参照して本発明を実施するための形態について詳細に説明する。本実施形態は、コネクタを介して外部から供給を受ける電力により動作し、筐体を開けて内部にアクセス可能なデスクトップ型パーソナルコンピュータであるが、本発明はデスクトップ型パーソナルコンピュータに限らず、コネクタを介して外部から供給を受ける電力により動作し、筐体を開けて内部にアクセス可能な電気機器に適用可能である。
【００１４】
図１は、本実施形態の電気機器の、筐体を開けられないときの電源コネクタ周辺の筐体構造を示す図であり、（１）は筐体外部を電源プラグ挿抜方向から見た図、（２）はＡ−Ａ断面図、（３）はＢ−Ｂ断面図である。
【００１５】
図１を参照すると、本実施形態の電気機器の筐体は、シャーシ１に対してカバー３を、電源プラグを抜く向きにスライドして組み合わせることによって構成されている。すなわち、カバー３を、シャーシ１に対して電源プラグを挿す向きにスライドさせることにより、電気機器の筐体を開けることができる。
【００１６】
シャーシ１には、電源プラグ（図示しない）を挿して電源供給を受けるための電源コネクタ４が設けられている。また、シャーシ１には、電源プラグ挿抜方向と直交し、かつ、一方向に付勢されて、スライド可能にロック部材２が設けられている。ロック部材２は、筐体内部の部材と筐体外部の部材とを、例えば接着や筐体内部からのねじ止めなどにより接合して構成され、シャーシ１に設けられる開口（図示しない）を通して筐体内部と筐体外部とにまたがるように配置されている。
【００１７】
ロック部材２は、筐体外部に突出するつまみ２ａ、電源プラグ挿抜方向と直交して筐体内部にシャーシ１に沿うように配置され、かつ、筐体外部に近づく向きに付勢される板バネ２ｂ、板バネ２ｂのシャーシ１側に突出する突起２ｃ、筐体内部に電源プラグ挿抜方向に直交して突出する係止部２ｄおよび筐体外部にあって電源コネクタ４の大きさに合わせた開口２ｅとを有している。
【００１８】
カバー３には、筐体内部に電源プラグ挿抜方向と直交するように突出する係合部３ａが設けられている。
【００１９】
図１は、図面下方に付勢されたロック部材２を図面上方に移動させて電源プラグを電源コネクタ４に挿入された状態の本実施形態の電気機器を示している。つまみ２ａを操作してロック部材２を図面上方に移動させることにより、係止部２ｄが係合部３ａの電源プラグを挿す向きにおける奥側に入り込むようになっている。そのため、カバー３をシャーシ１に対して電源プラグを挿す向きにスライドさせることができず、結果として電気機器の筐体を開けることができない。
【００２０】
また、本実施形態の電気機器の筐体は、ロック部材２を移動させて電気機器の筐体を開けることができなくなっているときに、突起２ｃがシャーシ１に設けられる凹部１ａに嵌合するように構成されている。この嵌合によって、ロック部材２の図面下方への移動が抑止されるため、電子機器筐体の開放禁止状態をより確実に維持することができる。なお、筐体外部から凹部１ａを通して突起２ｃを筐体内部に向けて押下した状態でつまみ２ａを操作することにより、この嵌合状態は解除される。
【００２１】
続いて、図２を参照して、筐体を開けられるときの本実施形態の電気機器の状態を説明する。図２は、本実施形態の電気機器の、筐体を開けられるときの電源コネクタ周辺の筐体構造を示す図であり、（１）は筐体外部を電源プラグ挿抜方向から見た図、（２）はＡ−Ａ断面図、（３）はＢ−Ｂ断面図である。
【００２２】
図２は、ロック部材２が図面下方に付勢され、筐体を開けられる状態を示している。すなわち、ロック部材２が図面下方にスライドしているため、係止部２ｄが図面下方にずれていて、カバー３をスライドさせたときの係合部３ａの進路を妨げないようになっている。そのため、カバー３をシャーシ１に対して電源プラグを挿す向きにスライドさせることができ、結果として電気機器の筐体を開けることができる。なお、開口２ｅが図面下方にスライトしているため、電源コネクタ４とずれており、電源プラグを電源コネクタ４に挿入できなくなっている。
【００２３】
以上のように構成することにより、電源プラグが電源コネクタに挿入されているときに電気機器の筐体を開けられないようになるため、筐体が開かれたときの感電等の危険をなくすことができる。
【符号の説明】
【００２４】
１    シャーシ
２    ロック部材
２ａ  つまみ
２ｂ  板バネ
２ｃ  突起
２ｄ  係止部
２ｅ  開口
３    カバー
３ａ  係合部
４    電源コネクタ
【図１】
0005595757.tif 000002
【図２】
0005595757.tif 000003